(57)【特許請求の範囲】
【請求項１】
物体側から像側へ順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、
からなり、
前記第１レンズ群は、
３枚以上のレンズで構成され、
前記第３レンズ群は、物体側から像側へ順に、
第３ａレンズ群と第３ｂレンズ群とからなり、
第３ａレンズ群は正レンズ及び負レンズを含み、
第３ｂレンズ群は正レンズ及び負レンズを含み、
前記第４レンズ群は、
２枚以下のレンズで構成され、
広角端から望遠端への変倍時に、前記第１レンズ群を移動させ、
合焦時に、前記第４レンズ群を移動させ、
以下の条件式（１）及び条件式（２Ａ）を満足する
ことを特徴とするズームレンズ。
−０．８  ＜  ｆ4  ／  ｆW  ＜  −０．３             ・・・（１）
０．１５  ＜  ｄG3  ／  ＬW  ＜    ０．４             ・・・（２Ａ）
ただし、
ｆWは、広角端におけるズームレンズ全系の焦点距離、
ｆ4は、前記第４レンズ群の焦点距離、
ｄG3は、前記第３レンズ群の光軸上の厚み、
ＬWは、広角端におけるズームレンズ全系の全長、
である。
【請求項２】
物体側から像側へ順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、
からなり、
前記第１レンズ群は、
３枚以上のレンズで構成され、
前記第３レンズ群は、物体側から像側へ順に、
第３ａレンズ群と第３ｂレンズ群とからなり、
第３ａレンズ群は正レンズ及び負レンズを含み、
第３ｂレンズ群は正レンズ及び負レンズを含み、
前記第４レンズ群は２枚以下のレンズで構成され、
広角端から望遠端への変倍時に、前記第１レンズ群を移動させ、
合焦時に、前記第４レンズ群を移動させ、
以下の条件式（１）、条件式（３）、及び条件式（８）を満足することを特徴とするズームレンズ。
−０．８  ＜  ｆ4  ／  ｆW  ＜  −０．３           ・・・（１）
２  ＜  ｆ1  ／  ｆW  ＜    ４                     ・・・（３）
１．９  ＜  ｄG3  ／  ｄG2  ＜    ５               ・・・（８）
ただし、
ｆWは、広角端におけるズームレンズ全系の焦点距離、
ｆ4は、前記第４レンズ群の焦点距離、
ｆ1は前記第１レンズ群の焦点距離、
ｄG2は前記第２レンズ群の光軸上の厚み、
ｄG3は、前記第３レンズ群の光軸上の厚み、
である。
【請求項３】
物体側から像側へ順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、
からなり、
前記第１レンズ群は、
３枚以上のレンズで構成され、
前記第３レンズ群は、物体側から像側へ順に、
第３ａレンズ群と第３ｂレンズ群とからなり、
第３ａレンズ群は正レンズ及び負レンズを含み、
第３ｂレンズ群は正レンズ及び負レンズを含み、
前記第４レンズ群は、
２枚以下のレンズで構成され、
広角端から望遠端への変倍時に、
前記第１レンズ群を移動させ、
前記第３レンズ群を物体側に単調に移動させ、
合焦時に、前記第４レンズ群を移動させ、
以下の条件式（１）及び条件式（８）を満足することを特徴とするズームレンズ。
−０．８  ＜  ｆ4  ／  ｆW  ＜  −０．３           ・・・（１）
１．９  ＜  ｄG3  ／  ｄG2  ＜    ５               ・・・（８）
ただし、
ｆWは、広角端におけるズームレンズ全系の焦点距離、
ｆ4は、前記第４レンズ群の焦点距離、
ｄG2は前記第２レンズ群の光軸上の厚み、
ｄG3は、前記第３レンズ群の光軸上の厚み、
である。
【請求項４】
前記第４レンズ群に以下の条件式（４）を満足する少なくとも１枚の屈折光学素子を含む
ことを特徴とする請求項１乃至請求項３のいずれか１つに記載のズームレンズ。
１．４  ＜  ｎｄ（ＬＤ）  ＜  １．６               ・・・（４）
ただし、ｎｄ（ＬＤ）は屈折光学素子の屈折率である。
【請求項５】
以下の条件式（５）を満足する
ことを特徴とする請求項１乃至請求項４のいずれか１つに記載のズームレンズ。
１  ＜  ρ4  ＜    ３．７                         ・・・（５）
ただし、ρ4は前記第４レンズ群内レンズの比重である。
【請求項６】
以下の条件式（６）を満足する
ことを特徴とする請求項１乃至請求項５のいずれか１つに記載のズームレンズ。
０．５  ＜  ｆ3  ／  ｆW  ＜    ０．９                 ・・・（６）
ただし、ｆ3は前記第３レンズ群の焦点距離である。
【請求項７】
前記第２レンズ群は、屈折率１．８５以上のレンズを含む
ことを特徴とする請求項１乃至請求項６のいずれか１つに記載のズームレンズ。
【請求項８】
前記第４レンズ群の少なくとも１つのレンズ面は、非球面である
ことを特徴とする請求項１乃至請求項７のいずれか１つに記載のズームレンズ。
【請求項９】
以下の条件式（７）を満足する
ことを特徴とする請求項１乃至請求項８のいずれか１つに記載のズームレンズ。
０．２  ＜  ｄG2  ／  ｆW  ＜    ０．５                   ・・・（７）
ただし、ｄG2は前記第２レンズ群の光軸上の厚みである。
【請求項１０】
前記第４レンズ群は、樹脂レンズを含む
ことを特徴とする請求項1乃至請求項９のいずれか１つに記載のズームレンズ。
【請求項１１】
前記第４レンズ群は、１枚のレンズで構成されている
ことを特徴とする請求項1乃至請求項１０のいずれか１つに記載のズームレンズ。
【請求項１２】
前記第３レンズ群は、明るさ絞りを有し、
広角端から望遠端への変倍の際に、前記明るさ絞りは、前記第３レンズ群と一体に移動する
ことを特徴とする請求項１乃至請求項１１のいずれか１つに記載のズームレンズ。
【請求項１３】
以下の条件式（８）を満足する
ことを特徴とする請求項１に記載のズームレンズ。
１．９  ＜  ｄG3  ／  ｄG2  ＜    ５                   ・・・（８）
【請求項１４】
以下の条件式（９）を満足する
ことを特徴とする請求項１乃至請求項１３のいずれか１つに記載のズームレンズ。
−０．２５  ＜  ｆ4  ／  ｆt  ＜  −０．０５           ・・・（９）
ただし、ｆtは望遠端におけるズームレンズ全系の焦点距離である。
【請求項１５】
請求項１乃至請求項１４のいずれか１つに記載のズームレンズと、
前記ズームレンズの像側に配置され、前記ズームレンズによる像を受光する撮像面をもつ撮像素子を有する撮像装置本体と、
を備える
ことを特徴とする撮像装置。
【発明の詳細な説明】
【技術分野】
【０００１】
本発明は、ズームレンズに関し、中望遠又は望遠域を含む高変倍比のズームレンズに関するものである。更に、該ズームレンズを備えた撮像装置に関するものである。
【背景技術】
【０００２】
従来から、一眼レフカメラ用交換レンズ等に用いられるズームレンズでは、変倍比の高いレンズが求められている。変倍比を高くできる構成としては、物体側より正負正負正の各レンズ群からなる５群構成が知られている（特許文献１参照）。
【０００３】
また、近年、デジタルカメラの性能向上に伴い、連写機能や動画機能が充実し、それらの機能に対応するため、レンズ光学系の像ぶれ補正、合焦の即時性が求められている。合焦時の即時性を向上させるためには、フォーカシングレンズ群をできるだけ小さくすること、合焦時の駆動群の移動量を少なくすることが求められる。フォーカシングレンズ群の移動時の像倍率変化の小さいズームレンズとしては、特許文献２に示されているようなズームレンズが提案されている。特許文献２のズームレンズにおいては、物体側からみて、正負負正負の５群構成のズームレンズのうち、レンズ径およびレンズ枚数の少ない正の第４レンズ群をフォーカス時の移動群とすることで、フォーカス補正時の群移動による動力負担を抑えている。
【先行技術文献】
【特許文献】
【０００４】
【特許文献１】特開２０１０−１９１１９９号公報
【特許文献２】特開２００９−２６５６５２号公報
【発明の概要】
【発明が解決しようとする課題】
【０００５】
高い変倍比をかせぐためには、各レンズ群の変倍負担を増加させながら収差補正を行うため、各レンズの構成枚数を多くする必要があり、フォーカシングレンズ群の構成レンズのレンズ径および構成枚数を減少させること、レンズ群の移動量を少なくし、合焦の即時性を高めることが困難であった。また、フォーカシングレンズ群の構成を小さくし、合焦の即時性を高めると、高い変倍比を稼ぐのが困難であり、両要求を同時に満たすことが難しかった。
【０００６】
本願発明は、上述の課題に鑑みてなされたものであり、高い変倍比を持ちながら、フォーカシングレンズ群の構成をなるべく小さく、少ない枚数のレンズ群とすることで、フォーカス時の動力負担を減らし、かつ合焦時の移動量を小さくして、合焦の即時性を高めたズームレンズを提供する。また、そのようなズームレンズを備えた撮像装置を提供する。
【課題を解決するための手段】
【０００７】
本発明のズームレンズの第１実施形態は、
物体側から像側へ順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、
からなり、
前記第１レンズ群は、
３枚以上のレンズで構成され、
前記第３レンズ群は、物体側から像側へ順に、
第３ａレンズ群と第３ｂレンズ群とからなり、
第３ａレンズ群は正レンズ及び負レンズを含み、
第３ｂレンズ群は正レンズ及び負レンズを含み、
前記第４レンズ群は、
２枚以下のレンズで構成され、
広角端から望遠端への変倍時に、前記第１レンズ群を移動させ、
合焦時に、前記第４レンズ群を移動させ、
以下の条件式（１）及び条件式（２Ａ）を満足する。
−０．８  ＜  ｆ4  ／  ｆW  ＜  −０．３             ・・・（１）
０．１５  ＜  ｄG3  ／  ＬW  ＜    ０．４             ・・・（２Ａ）
ただし、
ｆWは、広角端におけるズームレンズ全系の焦点距離、
ｆ4は、前記第４レンズ群の焦点距離、
ｄG3は、前記第３レンズ群の光軸上の厚み、
ＬWは、広角端におけるズームレンズ全系の全長、
である。
【０００９】
このような構成をとる理由と作用について説明する。
【００１０】
ズームレンズの屈折力は、変倍比を稼ぐために、物体側から像側へ順に、正負正負正の構成が有利である。また、第４レンズ群のレンズ枚数を２枚以下に構成し、第４レンズ群をフォーカシングレンズ群とすることで、フォーカシングレンズ群を移動するための駆動力を減らしている。
【００１１】
さらに、第３レンズ群は、物体側の第３ａレンズ群と像側の第３ｂレンズ群より構成されており、第３レンズ群内で最大の空気間隔を挟み前後の２つの部分群を構成している。      
【００１２】
このうち、第３ａレンズ群は、望遠状態で後続の群に光束を絞って伝達する役割を担っている。
【００１３】
条件式（１）は、第４レンズ群の屈折力に関する条件式であり、収差性能と第４レンズ群の駆動量とのバランスを取るための条件式である。
【００１４】
条件式（１）の上限を上回ると、第４レンズ群の屈折力が強くなりすぎ、望遠端における球面収差を始めとした各状態での収差バランスが取れなくなる。また、収差性能を補正しようとすると、第４レンズ群の構成枚数を増やす必要があり、第４レンズ群の駆動負担が増大する。
【００１５】
条件式（１）の下限を下回ると、第４レンズ群の屈折力が弱くなるため、合焦時の第４レンズ群の駆動量が大きくなり、合焦の即時性が阻害される。さらに、レンズ全長が長くなり、コンパクトな構成とするのが困難となる。
【００１６】
条件式（２）は、第３レンズ群の全長に関して規定している式であり、広角端におけるズームレンズ全系の全長で規格化している。
【００１７】
条件式（２）の下限を下回ると、第３ａレンズ群と第３ｂレンズ群の距離が近くなりすぎ、前述した第３ａレンズ群が望遠状態で後続の群に光束を絞る作用が小さくなる。このため、次に光線が入射する第４レンズ群の口径が大型化し、フォーカス時の駆動負担が大きくなることで、合焦の即時性が阻害される。また、レンズ径が大きくなることで、コンパクトな構成とすることが困難となる。
【００１８】
また条件式（２）の上限を上回ると、第３レンズ群の全長が長くなりすぎ、レンズ全長を大きくしてしまう。
【００１９】
また、本発明のズームレンズの第２実施形態は、
物体側から像側へ順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、
からなり、
前記第１レンズ群は、
３枚以上のレンズで構成され、
前記第３レンズ群は、物体側から像側へ順に、
第３ａレンズ群と第３ｂレンズ群とからなり、
第３ａレンズ群は正レンズ及び負レンズを含み、
第３ｂレンズ群は正レンズ及び負レンズを含み、
前記第４レンズ群は２枚以下のレンズで構成され、
広角端から望遠端への変倍時に、前記第１レンズ群を移動させ、
合焦時に、前記第４レンズ群を移動させ、
以下の条件式（１）、条件式（３）、及び条件式（８）を満足する。
−０．８  ＜  ｆ4  ／  ｆW  ＜  −０．３           ・・・（１）
２  ＜  ｆ1  ／  ｆW  ＜    ４                     ・・・（３）
１．９  ＜  ｄG3  ／  ｄG2  ＜    ５               ・・・（８）
ただし、
ｆWは、広角端におけるズームレンズ全系の焦点距離、
ｆ4は、前記第４レンズ群の焦点距離、
ｆ1は前記第１レンズ群の焦点距離、
ｄG2は前記第２レンズ群の光軸上の厚み、
ｄG3は、前記第３レンズ群の光軸上の厚み、
である。
【００２１】
上記構成および条件式（１）をとる理由と作用については、すでに述べたとおりである。
【００２２】
条件式（３）は、第１レンズ群の屈折力に関する条件式である。
【００２３】
条件式（３）の上限を上回ると、第１レンズ群の屈折力が小さくなりすぎ、ズーム時の第１レンズ群の移動量が大きくなるため、望遠端でのズーム全系の全長が大きくなり、コンパクトな構成を取ることが困難となる。また、高い変倍比を保つためには、他の正群への変倍負担を増やす必要があり、他の正群の屈折力を増加させることで発生する像面変動の補正が困難となる。
【００２４】
条件式（３）の下限を下回ると、第１レンズ群の屈折力が大きくなりすぎるため、入射高の高い広角端において、倍率色収差の発生が大きくなり、収差補正が困難となる。
【００２５】
さらに、本発明のズームレンズの第３実施形態は、
物体側から像側へ順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、
からなり、
前記第１レンズ群は、
３枚以上のレンズで構成され、
前記第３レンズ群は、物体側から像側へ順に、
第３ａレンズ群と第３ｂレンズ群とからなり、
第３ａレンズ群は正レンズ及び負レンズを含み、
第３ｂレンズ群は正レンズ及び負レンズを含み、
前記第４レンズ群は、
２枚以下のレンズで構成され、
広角端から望遠端への変倍時に、
前記第１レンズ群を移動させ、
前記第３レンズ群を物体側に単調に移動させ、
合焦時に、前記第４レンズ群を移動させ、
以下の条件式（１）及び条件式（８）を満足する。
−０．８  ＜  ｆ4  ／  ｆW  ＜  −０．３           ・・・（１）
１．９  ＜  ｄG3  ／  ｄG2  ＜    ５               ・・・（８）
ただし、
ｆWは、広角端におけるズームレンズ全系の焦点距離、
ｆ4は、前記第４レンズ群の焦点距離、
ｄG2は前記第２レンズ群の光軸上の厚み、
ｄG3は、前記第３レンズ群の光軸上の厚み、
である。
【００２７】
第３レンズ群は、枚数が多く主たる変倍を担う群とすることが好ましい。そして、広角端から望遠端への変倍時に、第３レンズ群を物体側に単調移動させることで、無理なく収差補正をしながら変倍比を稼ぐことが可能となる。
【００２８】
本発明の第１実施形態乃至第３実施形態のズームレンズでは、前記第４レンズ群に以下の条件式（４）を満足する少なくとも１枚の屈折光学素子を含むことが好ましい。
【００２９】
１．４  ＜  ｎｄ（ＬＤ）  ＜  １．６                   ・・・（４）
ただし、ｎｄ（ＬＤ）は屈折光学素子の屈折率である。
【００３０】
条件式（４）は、前記第４レンズ群に存在する少なくとも１枚の屈折率光学素子の屈折率について規定したものである。
【００３１】
条件式（４）の上限を上回ると、比重の大きなガラスとなり、フォーカス群の重量が増えるため、合焦の即時性を阻害するため好ましくない。
【００３２】
条件式（４）の下限を下回ると、フォーカシングの際に発生する像面湾曲を始めとした諸収差の補正が充分に行えないため、好ましくない。
【００３３】
本発明の第１実施形態乃至第３実施形態のズームレンズでは、以下の条件式（５）を満足することが好ましい。
【００３４】
１  ＜  ρ4  ＜    ３．７                             ・・・（５）
ただし、ρ4は前記第４レンズ群内のレンズの比重である。
【００３５】
条件式（５）の上限を上回ると、比重の大きなガラスとなり、フォーカス群の重量が増えるため、合焦の即時性を阻害するため好ましくない。
【００３６】
条件式（５）の下限を下回ると、フォーカシングの際に発生する像面湾曲を始めとした諸収差の補正が充分に行えないため、好ましくない。
【００３７】
本発明の第１実施形態乃至第３実施形態のズームレンズでは、以下の条件式（６）を満足することが好ましい。
【００３８】
０．５  ＜  ｆ3  ／  ｆW  ＜    ０．９                 ・・・（６）
ただし、ｆ3は前記第３レンズ群の焦点距離である。
【００３９】
条件式（６）は、第３レンズ群の屈折力に関する条件式である。
【００４０】
条件式（６）の上限を上回ると、第３レンズ群の屈折力が小さくなりすぎて、高い変倍比を保つためには、第３レンズ群の移動量を増加させる必要があり、結果としてズームレンズ全系の全長が長くなり好ましくない。
【００４１】
また条件式（６）の下限を下回ると、第３レンズ群の屈折力が大きくなりすぎて、望遠端近傍における球面収差や軸上色収差の収差バランスが取れなくなり好ましくない。
【００４２】
本発明の第１実施形態乃至第３実施形態のズームレンズでは、前記第２レンズ群は、屈折率１．８５以上のレンズを含むことが好ましい。
【００４３】
屈折率１．８５以上のレンズを含まない場合、ペッツバール和が負に大きくなり、像面のＳＭ隔差が大きくなってしまい、好ましくない。
【００４４】
本発明の第１実施形態乃至第３実施形態のズームレンズでは、前記第４レンズ群の少なくとも１つのレンズ面は、非球面であることが好ましい。
【００４５】
第４レンズ群をフォーカシングレンズ群として駆動させる際に、近距離への合焦に伴う収差変動をより小さくするためである。
【００４６】
本発明の第１実施形態乃至第３実施形態のズームレンズでは、以下の条件式（７）を満足することが好ましい。
【００４７】
０．２  ＜  ｄG2  ／  ｆW  ＜    ０．５                   ・・・（７）
ただし、ｄG2は前記第２レンズ群の光軸上の厚みである。
【００４８】
条件式（７）は第２レンズ群の光軸上の厚みに関する条件式である。
【００４９】
条件式（７）の上限を上回ると、第２レンズ群が大きくなりすぎ、ズームレンズ全系の全長が大きくなり好ましくない。
【００５０】
条件式（７）の下限を下回ると、第２レンズ群の光軸上の厚さが薄すぎるため、第２レンズ群内の負レンズの曲率半径を小さくすることができず、第２レンズ群の収差補正機能が充分に働かなくなる。このため、必然的に第２レンズ群の屈折力を弱めざるを得ず、倍率色収差や像面湾曲の補正が不十分となってしまう。
【００５１】
本発明の第１実施形態乃至第３実施形態のズームレンズでは、前記第４レンズ群は、樹脂レンズを含むことが好ましい。
【００５２】
第４レンズ群に樹脂レンズを含ませることで、第４レンズ群の重量を減らすことができる。そのため、フォーカシングレンズ群として駆動させる際に負担を減らすことができ、合焦の際の即時性に有利である。
【００５３】
本発明の第１実施形態乃至第３実施形態のズームレンズでは、前記第４レンズ群は、１枚のレンズで構成されていることが好ましい。
【００５４】
第４レンズ群の構成枚数を１枚とすることで、第４レンズ群の重量を減らすことができる。そのため、フォーカシングレンズ群として駆動させる際に負担を減らすことができ、合焦の際の即時性に有利である。
【００５５】
本発明の第１実施形態乃至第３実施形態のズームレンズでは、前記第３レンズ群は、明るさ絞りを有し、広角端から望遠端への変倍の際に、前記明るさ絞りは、前記第３レンズ群と一体に移動することが好ましい。
【００５６】
一般に、光学系は、絞り付近で最も光束系が細くなる。このため、絞り付近のレンズは、絞り付近から光軸方向に離れた位置に配置された他のレンズと比較して、容易に径を小さくすることが可能である。したがって、例えば、絞りを最も像側の群に配置すると、最も物体側の群の径が大きくなりすぎ、絞りを最も物体側の群に配置すると、最も像側の群の径が大きくなりすぎてしまう。本発明の第１実施形態乃至第３実施形態のズームレンズでは、光学系のほぼ中央付近の第３レンズ群に明るさ絞りを配置することで、物体側の第１レンズ群のレンズ径の大きさと、像側の第４レンズ群のレンズ径の大きさとを、拮抗させることができ、光学系全体の最大径を細くすることが可能となる。
【００５７】
本発明の第１実施形態乃至第３実施形態のズームレンズでは、以下の条件式（８）を満足することが好ましい。
【００５８】
１．９  ＜  ｄG3  ／  ｄG2  ＜    ５                   ・・・（８）
条件式（８）は、第３レンズ群の光軸上の厚みと第２レンズ群の光軸上の厚みの比について規定したものである。
【００５９】
条件式（８）の下限を下回ると、第３ａレンズ群と第３ｂレンズ群の距離が近くなりすぎ、前述した第３ａレンズ群が望遠状態で後続の群に光束を絞る作用が小さくなる。このため次に光線が入射する第４レンズ群の口径が大型化し、フォーカス時の駆動負担が大きくなることで、合焦の即時性が阻害される。また、レンズ径が大きくなることで、コンパクトな構成を取るのが困難となる。
【００６０】
条件式（８）の上限を上回ると、第３レンズ群が長くなりすぎ、レンズ全長が長くなってしまう。
【００６１】
本発明の第１実施形態乃至第３実施形態のズームレンズでは、以下の条件式（９）を満足することが好ましい。
【００６２】
−０．２５  ＜  ｆ4  ／  ｆt  ＜  −０．０５           ・・・（９）
ただし、ｆtは望遠端におけるズームレンズ全系の焦点距離である。
【００６３】
条件式（９）は、第４レンズ群の屈折力に関する条件式であり、収差性能と第４レンズ群の駆動量とのバランスを取るための条件式である。
【００６４】
条件式（９）の上限を上回ると、第４レンズ群の屈折力が強くなりすぎ、望遠端における球面収差を始めとした各状態での収差バランスが取れなくなる。また、収差性能を補正しようとすると第４レンズ群の構成枚数を増やす必要があり、第４レンズ群の駆動負担が増大する。
【００６５】
条件式（９）の下限を下回ると、第４レンズ群の屈折力が弱くなるため、合焦時の第４レンズ群の駆動量が大きくなり、合焦の即時性が阻害される。また、レンズ全長も長くなり、コンパクトな構成を取るのが困難となる。
【００６６】
また、以下のように条件式を変更することで、より好ましい構成となる。
【００６７】
−０．７５  ＜  ｆ4  ／  ｆW  ＜  −０．４              ・・・（１）’
０．１５  ＜  ｄG3  ／  ＬW  ＜    ０．３                ・・・（２）’
２．２  ＜  ｆ1  ／  ｆW  ＜    ３．８                  ・・・（３）’
１．４５  ＜  ｎｄ（ＬＤ）  ＜  １．５７                ・・・（４）’
０．６  ＜  ｆ3  ／  ｆW  ＜    ０．８５                ・・・（５）’
０．２５  ＜  ｄG2  ／  ｆW  ＜    ０．４               ・・・（６）’
２．１  ＜  ｄG3  ／  ｄG2  ＜    ４                    ・・・（７）’
−０．２  ＜  ｆ4  ／  ｆt    ＜  −０．０８            ・・・（８）’
さらに、以下のように条件式を変更することで、より好ましい構成となる。
【００６８】
−０．７２  ＜  ｆ4  ／  ｆW  ＜  −０．５              ・・・（１）’ ’
０．１９  ＜  ｄG3  ／  ＬW  ＜    ０．２７              ・・・（２）’ ’
２．５  ＜  ｆ1  ／  ｆW  ＜    ３．５                  ・・・（３）’ ’
１．５  ＜  ｎｄ（ＬＤ）  ＜  １．５７                  ・・・（４）’ ’
０．７  ＜  ｆ3  ／  ｆW  ＜    ０．８５                ・・・（５）’ ’
０．２７  ＜  ｄG2  ／  ｆW  ＜    ０．３５             ・・・（６）’ ’
２．４  ＜  ｄG3  ／  ｄG2  ＜    ３．５                ・・・（７）’ ’
−０．１５  ＜  ｆ4  ／  ｆt    ＜  −０．１           ・・・（８）’ ’
【発明の効果】
【００６９】
本発明によれば、高い変倍比を持ちながら、合焦の即時性を高めたズームレンズを提供することが可能となる。更に、そのようなズームレンズを備えた撮像装置を提供することが可能となる。
【図面の簡単な説明】
【００７０】
【図１】実施例１のズームレンズを展開して光軸に沿ってとった断面図である。
【図２】実施例２のズームレンズを展開して光軸に沿ってとった断面図である。
【図３】実施例３のズームレンズを展開して光軸に沿ってとった断面図である。
【図４】実施例４のズームレンズを展開して光軸に沿ってとった断面図である。
【図５】実施例５のズームレンズを展開して光軸に沿ってとった断面図である。
【図６】実施例６のズームレンズを展開して光軸に沿ってとった断面図である。
【図７】実施例１のズームレンズの収差図である。
【図８】実施例２のズームレンズの収差図である。
【図９】実施例３のズームレンズの収差図である。
【図１０】実施例４のズームレンズの収差図である。
【図１１】実施例５のズームレンズの収差図である。
【図１２】実施例６のズームレンズの収差図である。
【図１３】一実施形態のズームレンズを交換レンズとして用いた撮像装置の断面図である。
【図１４】一実施形態のデジタルカメラの外観を示す前方斜視図である。
【図１５】一実施形態のデジタルカメラの外観を示す後方斜視図である。
【図１６】他の実施形態のデジタルカメラの外観を示す前方斜視図である。
【図１７】他の実施形態のデジタルカメラの外観を示す背面図である。
【図１８】他の実施形態のデジタルカメラの構成を示す模式的な横断面図である。
【図１９】本実施形態のデジタルカメラの制御構成を示すブロック図である。
【発明を実施するための形態】
【００７１】
本発明の実施例１〜実施例６のズームレンズについて図を用いて説明する。図１〜図６は、本発明の実施例１〜実施例６のズームレンズを展開して光軸に沿ってとった断面図である。各図において（ａ）は広角端（ＷＥ）、（ｂ）は中間状態（ＳＴ）、（ｃ）は望遠端（ＴＥ）を示している。
【００７２】
撮像面直前の平板は、撮像素子のカバーガラスＣである。
【００７３】
図１は、実施例１のズームレンズの断面図である。
【００７４】
実施例１のズームレンズは、図１に示すように物体側から像側へ順に、正屈折力の第１レンズ群Ｇ1、負屈折力の第２レンズ群Ｇ2、正屈折力の第３レンズ群Ｇ3、負屈折力の第４レンズ群Ｇ4、正屈折力の第５レンズ群Ｇ5にて構成されている。図中、Ｓは明るさ絞り、Ｃはカバーガラス、Ｉは像面を示している。
【００７５】
第１レンズ群Ｇ1は、物体側から像側へ順に、両凸レンズＬ11と、物体側に凸面を向けた負メニスカスレンズＬ12と物体側に凸面を向けた正メニスカスレンズＬ13の接合レンズＳＵ11と、からなる。
【００７６】
第２レンズ群Ｇ2は、物体側から像側へ順に、像側に凸面を向けた正メニスカスレンズＬ21と両凹負レンズＬ22と物体側に凸面を向けた正メニスカスレンズＬ23の接合レンズＳＵ21と、両凹負レンズＬ24と、からなる。
【００７７】
第３レンズ群Ｇ3は、物体側から像側へ順に、第３ａレンズ群Ｇ3aと、第３ｂレンズ群Ｇ3bと、からなる。第３ａレンズ群Ｇ3aは、物体側から像側へ順に、両凸正レンズＬ3a1と、両凸正レンズＬ3a2と両凹負レンズＬ3a3の接合レンズＳＵ31と、からなる。また、第３ｂレンズ群Ｇ3bは、物体側から像側へ順に、両凸正レンズＬ3b1と、両凸正レンズＬ3b2と、両凹負レンズＬ3b3と、物体側に凸面を向けた正メニスカスレンズＬ3b4と、からなる。
【００７８】
第３レンズ群Ｇ3の第３ａレンズ群Ｇ3aと第３ｂレンズ群Ｇ3bの間には、明るさ絞りＳが配置される。
【００７９】
第４レンズ群Ｇ4は、両凸正レンズＬ41と、両凹負レンズＬ42と、からなる。
【００８０】
第５レンズ群Ｇ5は、１枚の両凸正レンズＬ51からなる。
【００８１】
次に、実施例１のズームレンズの広角端から望遠端へと変倍する際の各レンズ群それぞれの動きについて説明する。
【００８２】
ズーム動作において、第１レンズ群Ｇ1、第２レンズ群Ｇ2、第３レンズ群Ｇ3、第４レンズ群Ｇ4、及び第５レンズ群Ｇ5は、それぞれ独立して移動する。
【００８３】
第１レンズ群Ｇ1は、広角端から望遠端まで、第２レンズ群Ｇ2との間隔を広げ、物体側にのみ移動する。第１レンズ群Ｇ1は、望遠端では広角端よりも物体側に位置する。
【００８４】
第２レンズ群Ｇ2は、広角端から中間状態まで、第１レンズ群Ｇ1との間隔を広げ、第３レンズ群Ｇ3との間隔を狭めながら像側へ移動し、中間状態から望遠端まで、第１レンズ群Ｇ1との間隔を広げ、第３レンズ群Ｇ3との間隔を狭めながら物体側へ移動する。第２レンズ群Ｇ2は、望遠端では広角端よりも像側に位置する。
【００８５】
第３レンズ群Ｇ3は、明るさ絞りＳと共に、広角端から中間状態まで、第２レンズ群Ｇ2との間隔を狭め、第４レンズ群Ｇ4との間隔を広げながら物体側へ移動し、中間状態から望遠端まで、第２レンズ群Ｇ2との間隔を狭め、第４レンズ群Ｇ4との間隔を狭めながら物体側へ移動する。第３レンズ群Ｇ3は、望遠端では広角端よりも物体側に位置する。
【００８６】
第４レンズ群Ｇ4は、広角端から中間状態まで、第３レンズ群Ｇ3との間隔を広げ、第５レンズ群Ｇ5との間隔を広げながら物体側へ移動し、中間状態から望遠端まで、第３レンズ群Ｇ3との間隔を狭め、第５レンズ群Ｇ5との間隔を広げながら物体側へ移動する。望遠端では広角端よりも物体側に位置する。
【００８７】
第５レンズ群Ｇ5は、広角端から望遠端まで、第４レンズ群Ｇ4との間隔を広げ、像側にのみ移動する。第５レンズ群Ｇ5は、望遠端では広角端よりも像側に位置する。
【００８８】
非球面は、第４レンズ群Ｇ4の両凹負レンズＬ42の両面ｒ28，ｒ29の２面である。
【００８９】
図２は、実施例２のズームレンズの断面図である。
【００９０】
実施例２のズームレンズは、図２に示すように、物体側から像側へ順に、正屈折力の第１レンズ群Ｇ1、負屈折力の第２レンズ群Ｇ2、正屈折力の第３レンズ群Ｇ3、負屈折力の第４レンズ群Ｇ4、正屈折力の第５レンズ群Ｇ5にて構成されている。図中、Ｓは明るさ絞り、Ｃはカバーガラス、Ｉは像面を示している。
【００９１】
第１レンズ群Ｇ1は、物体側から像側へ順に、物体側に凸面を向けた正メニスカスレンズＬ11と、物体側に凸面を向けた負メニスカスレンズＬ12と物体側に凸面を向けた正メニスカスレンズＬ13の接合レンズＳＵ11と、からなる。
【００９２】
第２レンズ群Ｇ2は、物体側から像側へ順に、両凸正レンズＬ21と両凹負レンズＬ22と物体側に凸面を向けた正メニスカスレンズＬ23の接合レンズＳＵ21と、両凹負レンズＬ24と、からなる。
【００９３】
第３レンズ群Ｇ3は、物体側から像側へ順に、第３ａレンズ群Ｇ3aと、第３ｂレンズ群Ｇ3bと、からなる。第３ａレンズ群Ｇ3aは、物体側から像側へ順に、両凸正レンズＬ3a1と、両凸正レンズＬ3a2と両凹負レンズＬ3a3の接合レンズＳＵ31と、からなる。また、第３ｂレンズ群Ｇ3bは、物体側から像側へ順に、両凸正レンズＬ3b1と、両凸正レンズＬ3b2と、両凹負レンズＬ3b3と、物体側に凸面を向けた正メニスカスレンズＬ3b4と、からなる。
【００９４】
第３レンズ群Ｇ3の第３ａレンズ群Ｇ3aと第３ｂレンズ群Ｇ3bの間には、明るさ絞りＳが配置される。
【００９５】
第４レンズ群Ｇ４は、物体側から像側へ順に、像側に凸面を向けた正メニスカスレンズＬ41と、両凹負レンズＬ42と、からなる。
【００９６】
第５レンズ群Ｇ5は、１枚の両凸正レンズＬ51からなる。
【００９７】
次に、実施例２のズームレンズの広角端から望遠端へと変倍する際の各レンズ群それぞれの動きについて説明する。
【００９８】
ズーム動作において、第１レンズ群Ｇ1、第２レンズ群Ｇ2、第３レンズ群Ｇ3、第４レンズ群Ｇ4、及び第５レンズ群Ｇ5は、それぞれ独立して移動する。
【００９９】
第１レンズ群Ｇ1は、広角端から望遠端まで、第２レンズ群Ｇ2との間隔を広げ、物体側にのみ移動する。第１レンズ群Ｇ1は、望遠端では広角端よりも物体側に位置する。
【０１００】
第２レンズ群Ｇ2は、広角端から中間状態まで、第１レンズ群Ｇ1との間隔を広げ、第３レンズ群Ｇ3との間隔を狭めながら像側へ移動し、中間状態から望遠端まで、第１レンズ群Ｇ1との間隔を広げ、第３レンズ群Ｇ3との間隔を狭めながら物体側へ移動する。第２レンズ群Ｇ2は、望遠端では広角端よりも像側に位置する。
【０１０１】
第３レンズ群Ｇ3は、明るさ絞りＳと共に、広角端から中間状態まで、第２レンズ群Ｇ2との間隔を狭め、第４レンズ群Ｇ4との間隔を広げながら物体側へ移動し、中間状態から望遠端まで、第２レンズ群Ｇ2との間隔を狭め、第４レンズ群Ｇ4との間隔を狭めながら物体側へ移動する。第３レンズ群Ｇ3は、望遠端では広角端よりも物体側に位置する。
【０１０２】
第４レンズ群Ｇ4は、広角端から中間状態まで、第３レンズ群Ｇ3との間隔を広げ、第５レンズ群Ｇ5との間隔を広げながら物体側へ移動し、中間状態から望遠端まで、第３レンズ群Ｇ3との間隔を狭め、第５レンズ群Ｇ5との間隔を広げながら物体側へ移動する。望遠端では広角端よりも物体側に位置する。
【０１０３】
第５レンズ群Ｇ5は、広角端から望遠端まで、第４レンズ群Ｇ4との間隔を広げ、像側にのみ移動する。第５レンズ群Ｇ5は、望遠端では広角端よりも像側に位置する。
【０１０４】
非球面は、第４レンズ群Ｇ4の両凹負レンズＬ42の両面ｒ28，ｒ29の２面である。
【０１０５】
図３は、実施例３のズームレンズの断面図である。
【０１０６】
実施例３のズームレンズは、図３に示すように物体側から像側へ順に、正屈折力の第１レンズ群Ｇ1、負屈折力の第２レンズ群Ｇ2、正屈折力の第３レンズ群Ｇ3、負屈折力の第４レンズ群Ｇ4、正屈折力の第５レンズ群Ｇ5にて構成されている。図中、Ｓは明るさ絞り、Ｃはカバーガラス、Ｉは像面を示している。
【０１０７】
第１レンズ群Ｇ1は、物体側から像側へ順に、物体側に凸面を向けた正メニスカスレンズＬ11と、物体側に凸面を向けた負メニスカスレンズＬ12と物体側に凸面を向けた正メニスカスレンズＬ13の接合レンズＳＵ11と、からなる。
【０１０８】
第２レンズ群Ｇ2は、物体側から像側へ順に、両凸正レンズＬ21と両凹負レンズＬ22と物体側に凸面を向けた正メニスカスレンズＬ23の接合レンズＳＵ21と、両凹負レンズＬ２４と、からなる。
【０１０９】
第３レンズ群Ｇ3は、物体側から像側へ順に、第３ａレンズ群Ｇ3aと、第３ｂレンズ群Ｇ3bと、からなる。第３ａレンズ群Ｇ3aは、物体側から像側へ順に、両凸正レンズＬ3a1と、両凸正レンズＬ3a2と両凹負レンズＬ3a3の接合レンズＳＵ31と、からなる。また、第３ｂレンズ群Ｇ3bは、物体側から像側へ順に、両凸正レンズＬ3b1と、両凸正レンズＬ3b2と、両凹負レンズＬ3b3と、両凸正レンズＬ3b4と、からなる。
【０１１０】
第３レンズ群Ｇ3の第３ａレンズ群Ｇ3aと第３ｂレンズＧ3b群の間には、明るさ絞りＳが配置される。
【０１１１】
第４レンズ群Ｇ4は、両凸正レンズＬ41と、両凹負レンズＬ42と、からなる。
【０１１２】
第５レンズ群Ｇ5は、１枚の両凸正レンズＬ51からなる。
【０１１３】
次に、実施例３のズームレンズの広角端から望遠端へと変倍する際の各レンズ群それぞれの動きについて説明する。
【０１１４】
ズーム動作において、第１レンズ群Ｇ1、第２レンズ群Ｇ2、第３レンズ群Ｇ3、第４レンズ群Ｇ4、及び第５レンズ群Ｇ5は、それぞれ独立して移動する。
【０１１５】
第１レンズ群Ｇ1は、広角端から望遠端まで、第２レンズ群Ｇ2との間隔を広げ、物体側にのみ移動する。第１レンズ群Ｇ1は、望遠端では広角端よりも物体側に位置する。
【０１１６】
第２レンズ群Ｇ2は、広角端から望遠端まで、第１レンズ群Ｇ1との間隔を広げ、第３レンズ群Ｇ3との間隔を狭めながら像側へ移動する。第２レンズ群Ｇ2は、望遠端では広角端よりも像側に位置する。
【０１１７】
第３レンズ群Ｇ3は、明るさ絞りＳと共に、広角端から中間状態まで、第２レンズ群Ｇ2との間隔を狭め、第４レンズ群Ｇ4との間隔を広げながら物体側へ移動し、中間状態から望遠端まで、第２レンズ群Ｇ2との間隔を狭め、第４レンズ群Ｇ4との間隔を狭めながら物体側へ移動する。第３レンズ群Ｇ3は、望遠端では広角端よりも物体側に位置する。
【０１１８】
第４レンズ群Ｇ4は、広角端から中間状態まで、第３レンズ群Ｇ3との間隔を広げ、第５レンズ群Ｇ5との間隔を広げながら物体側へ移動し、中間状態から望遠端まで、第３レンズ群Ｇ3との間隔を狭め、第５レンズ群Ｇ5との間隔を広げながら物体側へ移動する。望遠端では広角端よりも物体側に位置する。
【０１１９】
第５レンズ群Ｇ5は、広角端から望遠端まで、第４レンズ群Ｇ４との間隔を広げ、像側にのみ移動する。第５レンズ群Ｇ5は、望遠端では広角端よりも像側に位置する。
【０１２０】
非球面は、第４レンズ群Ｇ4の両凹負レンズＬ42の両面ｒ28，ｒ29の２面である。
【０１２１】
図４は、実施例４のズームレンズの断面図である。
【０１２２】
実施例４のズームレンズは、図４に示すように物体側から像側へ順に、正屈折力の第１レンズ群Ｇ1、負屈折力の第２レンズ群Ｇ2、正屈折力の第３レンズ群Ｇ3、負屈折力の第４レンズ群Ｇ4、正屈折力の第５レンズ群Ｇ5にて構成されている。図中、Ｓは明るさ絞り、Ｃはカバーガラス、Ｉは像面を示している。
【０１２３】
第１レンズ群Ｇ1は、物体側から像側へ順に、物体側に凸面を向けた平凸正レンズＬ11と、物体側に凸面を向けた負メニスカスレンズＬ12と物体側に凸面を向けた正メニスカスレンズＬ13の接合レンズＳＵ11と、からなる。
【０１２４】
第２レンズ群Ｇ2は、物体側から像側へ順に、像側に凸面を向けた正メニスカスレンズＬ21と両凹負レンズＬ22と物体側に凸面を向けた正メニスカスレンズＬ23の接合レンズＳＵ21と、両凹負レンズＬ24と、からなる。
【０１２５】
第３レンズ群Ｇ3は、物体側から像側へ順に、第３ａレンズ群Ｇ3aと、第３ｂレンズ群Ｇ3bと、からなる。第３ａレンズ群Ｇ3aは、物体側から像側へ順に、両凸正レンズＬ3a1と、両凸正レンズＬ3a2と両凹負レンズＬ3a3の接合レンズＳＵ31と、からなる。また、第３ｂレンズ群Ｇ3bは、物体側から像側へ順に、両凸正レンズＬ3b1と、両凸正レンズＬ3b2と、両凹負レンズＬ3b3と、両凸正レンズＬ3b4と、からなる。
【０１２６】
第３レンズ群Ｇ3の第３ａレンズ群Ｇ3aと第３ｂレンズ群Ｇ3bの間には、明るさ絞りＳが配置される。
【０１２７】
第４レンズ群Ｇ4は、両凸正レンズＬ41と、両凹負レンズＬ42と、からなる。
【０１２８】
第５レンズ群Ｇ5は、１枚の両凸正レンズＬ51からなる。
【０１２９】
次に、実施例４のズームレンズの広角端から望遠端へと変倍する際の各レンズ群それぞれの動きについて説明する。
【０１３０】
ズーム動作において、第１レンズ群Ｇ1、第２レンズ群Ｇ2、第３レンズ群Ｇ3、第４レンズ群Ｇ4、及び第５レンズ群Ｇ5は、それぞれ独立して移動する。
【０１３１】
第１レンズ群Ｇ1は、広角端から望遠端まで、第２レンズ群Ｇ2との間隔を広げ、物体側にのみ移動する。第１レンズ群Ｇ1は、望遠端では広角端よりも物体側に位置する。
【０１３２】
第２レンズ群Ｇ2は、広角端から中間状態まで、第１レンズ群Ｇ1との間隔を広げ、第３レンズ群Ｇ3との間隔を狭めながら像側へ移動し、中間状態から望遠端まで、第１レンズ群Ｇ1との間隔を広げ、第３レンズ群Ｇ3との間隔を狭めながら物体側へ移動する。第２レンズ群Ｇ2は、望遠端では広角端よりも物体側に位置する。
【０１３３】
第３レンズ群Ｇ3は、明るさ絞りＳと共に、広角端から中間状態まで、第２レンズ群Ｇ2との間隔を狭め、第４レンズ群Ｇ4との間隔を広げながら物体側へ移動し、中間状態から望遠端まで、第２レンズ群Ｇ2との間隔を狭め、第４レンズ群Ｇ4との間隔を狭めながら物体側へ移動する。第３レンズ群Ｇ3は、望遠端では広角端よりも物体側に位置する。
【０１３４】
第４レンズ群Ｇ4は、広角端から中間状態まで、第３レンズ群Ｇ3との間隔を広げ、第５レンズ群Ｇ5との間隔を広げながら物体側へ移動し、中間状態から望遠端まで、第３レンズ群Ｇ3との間隔を狭め、第５レンズ群Ｇ5との間隔を広げながら物体側へ移動する。望遠端では広角端よりも物体側に位置する。
【０１３５】
第５レンズ群Ｇ5は、広角端から望遠端まで、第４レンズ群Ｇ4との間隔を広げ、像側にのみ移動する。第５レンズ群Ｇ5は、望遠端では広角端よりも像側に位置する。
【０１３６】
非球面は、第４レンズ群Ｇ4の両凹負レンズＬ42の両面ｒ28，ｒ29の２面である。
【０１３７】
図５は、実施例５のズームレンズの断面図である。
【０１３８】
実施例５のズームレンズは、図５に示すように物体側から像側へ順に、正屈折力の第１レンズ群Ｇ1、負屈折力の第２レンズ群Ｇ2、正屈折力の第３レンズ群Ｇ3、負屈折力の第４レンズ群Ｇ4、正屈折力の第５レンズ群Ｇ5にて構成されている。図中、Ｓは明るさ絞り、Ｃはカバーガラス、Ｉは像面を示している。
【０１３９】
第１レンズ群Ｇ1は、物体側から像側へ順に、両凸正レンズＬ11と、物体側に凸面を向けた負メニスカスレンズＬ12と物体側に凸面を向けた正メニスカスレンズＬ13の接合レンズＳＵ11と、物体側に凸面を向けた正メニスカスレンズＬ14と、からなる。
【０１４０】
第２レンズ群Ｇ2は、物体側から像側へ順に、像側に凸面を向けた正メニスカスレンズＬ21と両凹負レンズＬ22と物体側に凸面を向けた正メニスカスレンズＬ23の接合レンズＳＵ２１と、両凹負レンズＬ24と、からなる。
【０１４１】
第３レンズ群Ｇ3は、物体側から像側へ順に、第３ａレンズ群Ｇ3aと、第３ｂレンズ群Ｇ3bと、からなる。第３ａレンズ群Ｇ3aは、物体側から像側へ順に、両凸正レンズＬ3a1と、両凸正レンズＬ3a2と両凹負レンズＬ３ａ３の接合レンズＳＵ31と、からなる。また、第３ｂレンズ群Ｇ3bは、物体側から像側へ順に、両凸正レンズＬ3b1と、両凸正レンズＬ3b2と、両凹負レンズＬ3b3と、両凸正レンズＬ3b4と、からなる。
【０１４２】
第３レンズ群Ｇ3の第３ａレンズ群Ｇ3aと第３ｂレンズ群Ｇ3bの間には、明るさ絞りＳが配置される。
【０１４３】
第４レンズ群Ｇ4は、１枚の両凹負レンズＬ41からなる。
【０１４４】
第５レンズ群Ｇ5は、１枚の両凸正レンズＬ51からなる。
【０１４５】
次に、実施例５のズームレンズの広角端から望遠端へと変倍する際の各レンズ群それぞれの動きについて説明する。
【０１４６】
ズーム動作において、第１レンズ群Ｇ1、第２レンズ群Ｇ2、第３レンズ群Ｇ3、第４レンズ群Ｇ4、及び第５レンズ群Ｇ5は、それぞれ独立して移動する。
【０１４７】
第１レンズ群Ｇ1は、広角端から望遠端まで、第２レンズ群Ｇ2との間隔を広げ、物体側にのみ移動する。第１レンズ群Ｇ1は、望遠端では広角端よりも物体側に位置する。
【０１４８】
第２レンズ群Ｇ2は、広角端から中間状態まで、第１レンズ群Ｇ1との間隔を広げ、第３レンズ群Ｇ3との間隔を狭めながら像側へ移動し、中間状態から望遠端まで、第１レンズ群Ｇ1との間隔を広げ、第３レンズ群Ｇ3との間隔を狭めながら物体側へ移動する。第２レンズ群Ｇ2は、望遠端では広角端よりも像側に位置する。
【０１４９】
第３レンズ群Ｇ3は、明るさ絞りＳと共に、広角端から望遠端まで、第２レンズ群Ｇ2との間隔を狭め、第４レンズ群Ｇ4との間隔を広げながら物体側へ移動する。第３レンズ群Ｇ3は、望遠端では広角端よりも物体側に位置する。
【０１５０】
第４レンズ群Ｇ4は、広角端から望遠端まで、第３レンズ群Ｇ3との間隔を広げ、第５レンズ群Ｇ5との間隔を広げながら物体側へ移動する。望遠端では広角端よりも物体側に位置する。
【０１５１】
第５レンズ群Ｇ5は、広角端から望遠端まで、第４レンズ群Ｇ4との間隔を広げ、像側にのみ移動する。第５レンズ群Ｇ5は、望遠端では広角端よりも像側に位置する。
【０１５２】
非球面は、第４レンズ群Ｇ4の両凹負レンズＬ42の両面ｒ28，ｒ29の２面である。
【０１５３】
図６は、実施例６のズームレンズの断面図である。
【０１５４】
実施例６のズームレンズは、図６に示すように物体側から像側へ順に、正屈折力の第１レンズ群Ｇ1、負屈折力の第２レンズ群Ｇ2、正屈折力の第３レンズ群Ｇ3、負屈折力の第４レンズ群Ｇ4、正屈折力の第５レンズ群Ｇ5にて構成されている。図中、Ｓは明るさ絞り、Ｃはカバーガラス、Ｉは像面を示している。
【０１５５】
第１レンズ群Ｇ1は、物体側から像側へ順に、両凸正レンズＬ11と、物体側に凸面を向けた負メニスカスレンズＬ12と物体側に凸面を向けた正メニスカスレンズＬ13の接合レンズＳＵ11と、からなる。
【０１５６】
第２レンズ群Ｇ2は、物体側から像側へ順に、像側に凸面を向けた正メニスカスレンズＬ21と両凹負レンズＬ22と物体側に凸面を向けた正メニスカスレンズＬ23の接合レンズＳＵ21と、両凹負レンズＬ24と、からなる。
【０１５７】
第３レンズ群Ｇ3は、物体側から像側へ順に、第３ａレンズ群Ｇ3aと、第３ｂレンズ群Ｇ3bと、からなる。第３ａレンズ群Ｇ3aは、物体側から像側へ順に、両凸正レンズＬ3a1と、両凸正レンズＬ3a2と両凹負レンズＬ3a3の接合レンズＳＵ31と、からなる。また、第３ｂレンズ群Ｇ3bは、物体側から像側へ順に、両凸正レンズＬ3b1と、両凸正レンズＬ3b2と、両凹負レンズＬ3b3と、両凸正レンズＬ3b4と、からなる。
【０１５８】
第３レンズ群Ｇ3の第３ａレンズ群Ｇ3aと第３ｂレンズ群Ｇ3bの間には、明るさ絞りＳが配置される。
【０１５９】
第４レンズ群Ｇ4は、像側に凸面を向けた負メニスカスレンズＬ41と、両凹負レンズＬ42と、からなる。第４レンズ群Ｇ4の負メニスカスレンズＬ41及び両凹負レンズＬ42は、どちらも樹脂レンズである。
【０１６０】
第５レンズ群Ｇ5は、１枚の両凸正レンズＬ51からなる。
【０１６１】
次に、実施例６のズームレンズの広角端から望遠端へと変倍する際の各レンズ群それぞれの動きについて説明する。
【０１６２】
ズーム動作において、第１レンズ群Ｇ1、第２レンズ群Ｇ2、第３レンズ群Ｇ3、第４レンズ群Ｇ4、及び第５レンズ群Ｇ5は、それぞれ独立して移動する。
【０１６３】
第１レンズ群Ｇ1は、広角端から望遠端まで、第２レンズ群Ｇ2との間隔を広げ、物体側にのみ移動する。第１レンズ群Ｇ1は、望遠端では広角端よりも物体側に位置する。
【０１６４】
第２レンズ群Ｇ2は、広角端から中間状態まで、第１レンズ群Ｇ1との間隔を広げ、第３レンズ群Ｇ3との間隔を狭めながら像側へ移動し、中間状態から望遠端まで、第１レンズ群Ｇ1との間隔を広げ、第３レンズ群Ｇ3との間隔を狭めながら物体側へ移動する。第２レンズ群Ｇ2は、望遠端では広角端よりも像側に位置する。
【０１６５】
第３レンズ群Ｇ3は、明るさ絞りＳと共に、広角端から中間状態まで、第２レンズ群Ｇ2との間隔を狭め、第４レンズ群Ｇ4との間隔を広げながら物体側へ移動し、中間状態から望遠端まで、第２レンズ群Ｇ2との間隔を狭め、第４レンズ群Ｇ4との間隔を狭めながら物体側へ移動する。第３レンズ群Ｇ3は、望遠端では広角端よりも物体側に位置する。
【０１６６】
第４レンズ群Ｇ4は、広角端から望遠端まで、第３レンズ群Ｇ3との間隔を広げ、第５レンズ群Ｇ5との間隔を広げながら物体側へ移動する。望遠端では広角端よりも物体側に位置する。
【０１６７】
第５レンズ群Ｇ5は、広角端から望遠端まで、第４レンズ群Ｇ4との間隔を広げ、像側にのみ移動する。第５レンズ群Ｇ5は、望遠端では広角端よりも像側に位置する。
【０１６８】
非球面は、第４レンズ群Ｇ4の両凹負レンズＬ42の両面ｒ28，ｒ29の２面である。
【０１６９】
以下に上記実施例１〜実施例６の各種数値データ（面データ、ズームデータ、及び各群焦点距離）を示す。
【０１７０】
面データには、面番号毎に各レンズ面（光学面）の曲率半径ｒ、面間隔ｄ、各レンズ（光学媒質）のｄ線（５８７．６ｎｍ）に対する屈折率ｎｄ、各レンズ（光学媒質）のｄ線のアッベ数νｄが示されている。曲率半径ｒ、面間隔ｄの単位はいずれもミリメートル（ｍｍ）である。面データ中、曲率半径に記載する“∞”は、無限大であることを示している。
【０１７１】
非球面データには、面データ中、非球面形状としたレンズ面に関するデータが示されている。非球面形状は、ｘを光の進行方向を正とした光軸とし、ｙを光軸と直交する方向にとると下記の式にて表される。
【０１７２】
ｘ＝（ｙ2／ｒ）／［１＋｛１−（１＋Ｋ）・（ｙ／ｒ）2｝1/2］
＋Ａ4ｙ4＋Ａ6ｙ6＋Ａ8ｙ8＋Ａ10ｙ10…
ただし、ｒは近軸曲率半径、Ｋは円錐係数、Ａ4、Ａ6、Ａ8はそれぞれ４次、６次、８次の非球面係数である。なお、記号“ｅ”は、それに続く数値が１０を底にもつ、べき指数であることを示している。例えば「１．０ｅ−５」は「１．０×１０-5」であることを意味している。
【０１７３】
ズームデータには、焦点距離、Ｆナンバー（ＦＮＯ）、画角２ω（°）、可変する面間隔ｄ、バックフォーカス（in air）、全長（in air）、及び像高が示されている。単位は、Ｆナンバー及び画角を除き、いずれもミリメートル（ｍｍ）である。
【０１７４】
また、ＷＥは広角端、ＳＴは中間状態、ＴＥは望遠端を示している。
【０１７５】
各群焦点距離データには、各レンズ群における焦点距離ｆ１〜ｆ５が示されている。単位はいずれもミリメートル（ｍｍ）である。
数値実施例１
面データ
面番号             ｒ          ｄ        ｎｄ      νｄ
1                97.453      5.95     1.49700    81.54
2             -1487.875      0.15
3                69.658      2.20     1.83400    37.16
4                42.507      9.45     1.49700    81.54
5              2152.996      D5  (可変)
6              -250.436      3.23     1.85026    32.27
7               -42.484      1.50     1.64850    53.02
8                20.736      3.50     1.78472    25.68
9                39.322      3.40
10               -56.724      1.10     1.88300    40.76
11               130.037      D11 (可変)
12                71.924      3.13     1.88300    40.76
13              -104.430      0.15
14                39.743      4.99     1.48749    70.23
15               -35.323      1.10     1.90366    31.32
16               104.250     16.03
17(絞り)           ∞         1.00
18               142.569      3.11     1.71736    29.52
19               -51.986      0.15
20                26.515      4.16     1.49700    81.54
21               -83.277      0.40
22               -94.899      1.40     1.90366    31.32
23                20.045      2.58
24                23.552      3.25     1.88300    40.76
25              1282.773      D25 (可変)
26               616.753      2.55     1.56732    42.82
27               -25.515      0.98
28(非球面)       -18.412      1.40     1.51633    64.14
29(非球面)        16.530      D29 (可変)
30                88.711      4.43     1.49700    81.54
31               -46.502      D31 (可変)
32                 ∞         3.50     1.51633    64.14
33                 ∞         0.80
像面               ∞
非球面係数
第28面
K=0.000,A4=2.09223e-05,A6=5.75251e-08
第29面
K=0.000,A4=-1.60816e-05,A6=-2.37245e-08
ズームデータ
ＷＥ      ＳＴ      ＴＥ
焦点距離               40.80     90.00    196.00
ＦＮＯ．                4.08      4.08      4.08
画角２ω（°）         30.57     13.85      6.46
fb (in air)            31.51     27.21     24.06
全長 (in air)         158.58    170.08    193.58
像高                   11.15     11.15     11.15
D5                      1.50     22.01     40.04
D11                    38.72     15.20      1.50
D25                     1.50      6.00      3.15
D29                     4.04     18.34     43.52
D31                    28.41     24.10     20.95
各群焦点距離
ｆ１       107.04
ｆ２       -28.68
ｆ３        33.46
ｆ４       -28.70
ｆ５        62.06
数値実施例２
面データ
面番号             ｒ          ｄ        ｎｄ      νｄ
1               101.119      5.05     1.49700    81.54
2              1291.484      0.15
3                80.138      2.20     1.83400    37.16
4                49.930      7.84     1.49700    81.54
5               842.939      D5  (可変)
6               231.944      3.67     1.85026    32.27
7               -43.793      1.50     1.64850    53.02
8                25.724      2.61     1.78472    25.68
9                40.631      3.25
10               -49.564      1.10     1.88300    40.76
11               112.688      D11 (可変)
12                83.274      2.90     1.88300    40.76
13               -99.579      1.43
14                39.419      5.13     1.48749    70.23
15               -28.536      1.10     1.90366    31.32
16               205.748      9.19
17(絞り)           ∞         1.00
18               254.457      3.17     1.71736    29.52
19               -40.119      0.15
20                27.676      3.71     1.49700    81.54
21              -134.378      0.49
22              -131.957      1.40     1.90366    31.32
23                20.307      3.55
24                24.351      3.15     1.88300    40.76
25               715.099      D25 (可変) 
26              -728.533      2.48     1.56732    42.82
27               -24.850      1.07
28(非球面)       -17.929      1.40     1.51633    64.14
29(非球面)        15.423      D29 (可変) 
30                88.592      4.33     1.49700    81.54
31               -40.328      D31 (可変) 
32                 ∞         3.50     1.51633    64.14
33                 ∞         0.80
像面               ∞
非球面係数
第28面
K=0.000,A4=2.18309e-05,A6=5.63538e-08
第29面
K=0.000,A4=-1.86188e-05,A6=-6.82229e-08
ズームデータ
ＷＥ      ＳＴ      ＴＥ
焦点距離               40.80     90.00    196.00
ＦＮＯ．                4.08      4.08      4.08
画角２ω（°）         30.45     13.86      6.48
fb (in air)            28.58     26.47     24.80
全長 (in air)         158.58    166.59    193.58
像高                   11.15     11.15     11.15
D5                      1.50     24.95     52.42
D11                    44.31     15.94      1.50
D25                     1.50      6.37      3.68
D29                     9.67     19.83     38.17
D31                    25.48     23.37     21.69
各群焦点距離
ｆ１       129.75
ｆ２       -32.79
ｆ３        31.22
ｆ４       -25.65
ｆ５        56.39
数値実施例３
面データ
面番号             ｒ          ｄ        ｎｄ      νｄ
1               107.113      4.93     1.49700    81.54
2              2559.681      0.15
3                91.779      2.20     1.83400    37.16
4                57.123      6.56     1.49700    81.54
5               384.113      D5  (可変)
6               142.743      3.43     1.85026    32.27
7               -49.378      1.50     1.64850    53.02
8                31.128      2.19     1.78472    25.68
9                44.645      4.44
10               -52.299      1.10     1.88300    40.76
11               150.581      D11 (可変)
12                68.251      2.65     1.88300    40.76
13               164.212      0.15
14                39.427      5.00     1.48749    70.23
15               -24.955      1.10     1.90366    31.32
16               980.577      1.50
17(絞り)           ∞         5.74
18            -12003.027      3.06     1.71736    29.5
19               -33.847      0.15
20                31.463      2.99     1.49700    81.54
21             -1667.310      0.75
22              -146.091      1.40     1.90366    31.32
23                19.685      3.17
24                24.212      3.27     1.88300    40.76
25              -249.661      D25 (可変)
26               467.288      2.47     1.56732    42.82
27               -29.908      1.98
28(非球面)       -17.840      1.40     1.51633    64.14
29(非球面)        15.269      D29 (可変)
30               101.854      4.18     1.49700    81.54
31               -37.040      D31 (可変)
32                 ∞         3.50     1.51633    64.14
33                 ∞         0.80
像面               ∞
非球面係数
第28面
K=0.000,A4=3.17071e-05,A6=5.05279e-08
第29面
K=0.000,A4=-1.70752e-05,A6=-8.08970e-08
ズームデータ
ＷＥ      ＳＴ      ＴＥ
焦点距離               40.80     90.00    196.00
ＦＮＯ．                4.08      4.08      4.08
画角２ω（°）         30.55     13.85      6.46
fb (in air)            24.77     21.97     19.36
全長 (in air)         158.58    170.42    193.58
像高                   11.15     11.15     11.15
D5                      1.50     35.60     67.80
D11                    50.82     20.31      1.50
D25                     1.50      4.33      1.50
D29                    12.52     20.75     35.96
D31                    21.67     18.87     16.26
各群焦点距離
ｆ１       154.53
ｆ２       -40.24
ｆ３        30.11
ｆ４       -24.86
ｆ５        55.20
数値実施例４
面データ
面番号             ｒ          ｄ        ｎｄ      νｄ
1                95.275      5.73     1.49700    81.54
2                  ∞        0.15
3                71.428      2.20     1.83400    37.16
4                43.458      9.23     1.49700    81.54
5              2216.468      D5  (可変)
6              -264.923      3.32     1.85026    32.27
7               -37.048      1.50     1.64850    53.02
8                19.177      3.39     1.78472    25.68
9                36.463      3.40
10               -47.105      1.10     1.88300    40.76
11               118.246      D11 (可変)
12               113.134      2.90     1.88300    40.76
13               -72.421      0.15
14                33.332      5.53     1.48749    70.23
15               -27.653      1.10     1.90366    31.32
16               149.750     11.34
17(絞り)           ∞         1.00
18               247.265      3.37     1.71736    29.52
19               -39.456      0.15
20                26.021      4.27     1.49700    81.54
21               -78.391      0.43
22               -83.245      1.40     1.90366    31.32
23                20.014      2.94
24                24.202      3.29     1.88300    40.76
25             -1052.867      D25 (可変)
26               439.462      2.58     1.56732    42.82
27               -25.657      0.97
28(非球面)       -18.689      1.40     1.51633    64.14
29(非球面)        16.578      D29 (可変)
30               107.986      3.84     1.49700    81.54
31               -43.807      D31 (可変)
32                 ∞        11.26
33                 ∞         3.50     1.51633    64.14
34                 ∞         0.80
像面               ∞
非球面係数
第28面
K=0.000,A4=1.93873e-05,A6=5.50715e-08
第29面
K=0.000,A4=-1.44766e-05,A6=-2.39273e-08
ズームデータ
ＷＥ      ＳＴ      ＴＥ
焦点距離               40.80     90.00    196.00
ＦＮＯ．                4.08      4.08      4.08
画角２ω（°）         30.62     13.85      6.46
fb (in air)            31.80     27.26     23.17
全長 (in air)         143.58    163.18    193.58
像高                   11.15     11.15     11.15
D5                      1.50     23.40     44.76
D11                    27.93     10.15      1.50
D25                     1.50      6.80      3.02
D29                     4.18     18.90     44.47
D31                    17.44     12.89      8.80
各群焦点距離
ｆ１       111.00
ｆ２       -25.74
ｆ３        30.14
ｆ４       -29.36
ｆ５        63.24
数値実施例５
面データ
面番号             ｒ          ｄ        ｎｄ      νｄ
1               103.876      5.67     1.49700    81.54
2             -2631.540      0.15
3                79.774      2.20     1.83400    37.16
4                47.161      7.58     1.49700    81.54
5               252.796      0.30
6               121.778      3.60     1.49700    81.54
7               733.098      D7  (可変)
8              -633.194      3.42     1.85026    32.27
9               -41.232      1.50     1.64850    53.02
10                19.725      3.22     1.78472    25.68
11                32.952      3.93
12               -40.157      1.10     1.88300    40.76
13               193.019      D13 (可変)
14                75.154      3.34     1.88300    40.76
15               -69.065      0.15
16                34.521      5.15     1.48749    70.23
17               -33.002      1.10     1.90366    31.32
18               128.340     12.38
19(絞り)           ∞         1.00
20              3309.944      2.98     1.71736    29.52
21               -35.980      0.15
22                32.272      3.12     1.49700    81.54
23              -179.542      0.92
24               -60.136      1.40     1.90366    31.32
25                26.762      9.17
26                36.209      2.69     1.88300    40.76
27              -561.553      D27 (可変)
28(非球面)      -122.128      1.00     1.49700    81.54
29(非球面)        19.558      D29 (可変)
30                47.017      4.18     1.49700    81.54
31               -61.610      D31 (可変)
32                 ∞        11.26
33                 ∞         3.50     1.51633    64.14
34                 ∞         0.80 
像面               ∞
非球面係数
第28面
K=0.000,A4=-5.81185e-06,A6=3.20326e-08
第29面
K=0.000,A4=-1.58172e-05,A6=1.12238e-08,A6=-4.42044e-11
ズームデータ
ＷＥ      ＳＴ      ＴＥ
焦点距離               40.80     90.00    196.00
ＦＮＯ．                4.08      4.08      4.08
画角２ω（°）         30.61     13.85      6.48
fb (in air)            34.57     30.57     30.22
全長 (in air)         158.58    177.82    193.58
像高                   11.15     11.15     11.15
D5                      1.20     25.04     39.41
D11                    37.34     19.31      1.50
D25                     1.80      8.56     11.45
D29                     2.28     12.94     29.60
D31                    20.20     16.20     15.85
各群焦点距離
ｆ１       103.30
ｆ２       -24.77
ｆ３        37.66
ｆ４       -33.84
ｆ５        54.35
数値実施例６
面データ
面番号             ｒ          ｄ        ｎｄ      νｄ
1               100.320      5.80     1.49700    81.54
2             -1471.047      0.15
3                72.206      2.20     1.83400    37.16
4                44.302      8.93     1.49700    81.54
5              1014.530      D5
6              -392.593      3.24     1.85026    32.27
7               -44.457      1.50     1.64850    53.02
8                21.304      3.37     1.78472    25.68
9                39.557      3.38
10               -56.665      1.10     1.88300    40.76
11               124.127      D11 
12                73.876      3.18     1.88300    40.76
13               -95.500      0.15
14                36.481      5.13     1.48749    70.23
15               -36.348      1.10     1.90366    31.32
16                85.108     15.26
17(絞り)           ∞         1.00
18               146.688      3.17     1.71736    29.52
19               -49.186      0.15
20                26.999      4.17     1.49700    81.54
21               -76.298      0.43
22               -81.203      1.40     1.90366    31.32
23                20.351      2.01
24                23.094      3.26     1.88300    40.76
25               705.547      D25 
26              -182.934      2.23     1.58423    30.49
27               -26.283      0.88
28(非球面)     -20.955 ASP    1.40     1.52542    55.78
29(非球面)      17.030 ASP    D29
30                81.147      4.07     1.49700    81.54
31               -46.326      D31 
32                 ∞        11.26
33                 ∞         3.50     1.51633    64.14
34                 ∞         0.80
像面               ∞
非球面係数
第28面
K=0.000,A4=8.98528e-06,A6=3.02330e-08
第29面
K=0.000,A4=-1.44768e-05,A6=-3.84457e-08
ズームデータ
ＷＥ      ＳＴ      ＴＥ
焦点距離               40.80     90.00    196.00
ＦＮＯ．                4.08      4.08      4.08
画角２ω（°）         30.50     13.85      6.46
fb (in air)            32.12     27.94     24.44
全長 (in air)         158.58    168.72    193.58
像高                   11.15     11.15     11.15
D5                      1.50     21.81     42.81
D11                    40.17     14.81      1.50
D25                     1.50      6.97      4.49
D29                     4.65     18.55     41.70
D31                    17.76     13.58     10.08
各群焦点距離
ｆ１       112.89
ｆ２       -29.38
ｆ３        32.73
ｆ４       -27.58
ｆ５        59.97
図７〜図１２は、実施例１〜実施例６における（ａ）広角端（ＷＥ）、（ｂ）中間状態（ＳＴ）、（ｃ）望遠端（ＴＥ）での諸収差図である。
【０１７６】
これら諸収差図において、ＳＡは球面収差、ＡＳは非点収差、ＤＴは歪曲収差、ＣＣは倍率色収差を示す。球面収差ＳＡは、５８７．６ｎｍ（ｄ線：実線）、４３５．８ｎｍ（ｇ線：一点鎖線）、６５６．３ｎｍ（Ｃ線：破線）の各波長について示されている。また、倍率色収差ＣＣは、ｄ線を基準としたときの４３５．８ｎｍ（ｇ線：一点鎖線）、６５６．３ｎｍ（Ｃ線：破線）の各波長について示されている。また、非点収差ＤＴは、実線がサジタル像面、破線がメリジオナル像面のものを示している。なお、ＦＮＯはＦナンバーを示す。
【０１７７】
上記実施例１〜６について、各構成要素の値及び各条件式（１）〜（９）の値を下記に示しておく。
実施例１       実施例２       実施例３  
条件式（１）       -0.703         -0.629         -0.609
条件式（２）        0.259          0.228          0.194 
条件式（３）        2.624          3.180          3.787 
条件式（４）max     1.567          1.567          1.567
min     1.516          1.516          1.516
条件式（５）max     2.57           2.57           2.57
min     2.52           2.52           2.52
条件式（６）        0.820          0.765          0.738 
条件式（７）        0.312          0.298          0.311 
条件式（８）        3.256          2.996          2.441 
条件式（９）       -0.146         -0.131         -0.127 
実施例４       実施例５       実施例６
条件式（１）       -0.72          -0.829         -0.676
条件式（２）        0.261          0.273          0.253 
条件式（３）        2.721          2.532          2.767 
条件式（４）max     1.567          1.883          1.584
min     1.516          1.497          1.525
条件式（５）max     2.57           3.57           1.2
min     2.52           3.57           1.01
条件式（６）        0.739          0.923          0.802 
条件式（７）        0.312          0.323          0.309 
条件式（８）        2.978          3.305          3.209 
条件式（９）       -0.15          -0.173         -0.141 
本実施形態のズームレンズでは、ゴースト、フレア等の不要光をカットするために、明るさ絞り以外にフレア絞りを配置してもかまわない。第１レンズ群の物体側、第１レンズ群と第２レンズ群間、第２レンズ群と第３レンズ群間、第３レンズ群と第４レンズ群間、第４レンズ群と第５レンズ群間、第５レンズ群と像面間のいずれの場所に配置しても良い。
【０１７８】
また、枠部材によりフレア光線をカットするように構成しても良いし、別の部材を構成しても良い。フレア絞りとして、光学系に直接印刷しても、塗装しても、シールなどを接着してもかまわない。フレア絞りの形状は円形、楕円形、矩形、多角形、関数曲線で囲まれる範囲等、いかなる形状でもかまわない。また有害光束をカットするだけでなく画面周辺のコマフレア等の光束をカットしても良い。
【０１７９】
また各レンズには反射防止コートを行い、ゴースト、フレアを軽減してもかまわない。マルチコートであれば効果的にゴースト、フレアを軽減できるので望ましい。また赤外カットコートをレンズ面、カバーガラス等に使用してもかまわない。画像周辺部の明るさのかげり（シェーディング）をＣＣＤのマイクロレンズをシフトすることにより軽減しても良い。例えば、各像高における光線の入射角に合わせてＣＣＤのマイクロレンズの設計を変えても良い。また画像処理により画像周辺部の低下量を補正しても良い。
【０１８０】
ゴースト・フレアの発生を防止するためにレンズの空気接触面に反射防止コートを施すことは一般的に行われている。一方、接合レンズの接合面では接着材の屈折率が空気の屈折率よりも十分高い。そのためもともと単層コート並み、あるいはそれ以下の反射率となっていることが多く、あえてコートを施すことは少ない。しかしながら、接合面にも積極的に反射防止コートを施せばさらにゴースト・フレアを軽減でき、なお良好な画像を得ることができるようになる。特に最近では高屈折率硝材が普及し収差補正効果が高いためカメラ光学系に多用されるようになってきているが、高屈折率硝材を接合レンズとして用いた場合、接合面での反射も無視できなくなってくる。そのような場合、接合面に反射防止コートを施しておくことは特に効果的である。
【０１８１】
接合面コートの効果的な使用法に関しては、特開平2-27301号、特開2001-324676号、特開2005-92115号、USP7116482等に開示されている。これらの文献では特に正先行ズームレンズの第１レンズ群内の接合レンズ面コートについて述べられており、本発明の第１レンズ群内の接合レンズ面についてもこれら文献に開示されているごとく実施すればよい。
【０１８２】
使用するコート材としては、基盤となるレンズの屈折率と接着材の屈折率に応じて、比較的高屈折率なＴａ2Ｏ5、ＴｉＯ2、Ｎｂ2Ｏ5、ＺｒＯ2、ＨｆＯ2、ＣｅＯ2、ＳｎＯ2、Ｉｎ2Ｏ3、ＺｎＯ、Ｙ2Ｏ3などのコート材、比較的低屈折率なＭｇＦ2、ＳｉＯ2、Ａｌ2Ｏ3などのコート材、などを適宜選択し、位相条件を満たすような膜厚に設定すれば良い。          
【０１８３】
当然のことながら、レンズの空気接触面へのコーティング同様、接合面コートをマルチコートとしても良い。２層あるいはそれ以上の膜数のコート材や膜厚を適宜組み合わせることで、更なる反射率の低減や、反射率の分光特性・角度特性等のコントロールなどを行うことが可能となる。また第１レンズ群以外のレンズ接合面についても、同様の思想に基づいて接合面コートを行うことが効果的なのは言うまでもない。
【０１８４】
図１３は、本実施形態のズームレンズを用い、撮像素子として小型のＣＣＤ又はＣＭＯＳなどを用いた撮像装置としての一眼ミラーレスカメラの断面図である。図１３において、１は一眼ミラーレスカメラ、２は鏡筒内に配置された撮像レンズ系、３は撮像レンズ系２を一眼ミラーレスカメラ１に着脱可能とする鏡筒のマウント部であり、スクリュータイプやバヨネットタイプ等のマウントが用いられる。この例では、バヨネットタイプのマウントを使用している。また、４は撮像素子面、５はバックモニターである。
【０１８５】
このような構成の一眼ミラーレスカメラ１の撮像レンズ系２として、例えば上記実施例１〜６に示した本実施形態のズームレンズが用いられる。
【０１８６】
図１４、図１５は、ズームレンズを撮影光学系４１に組み込んだ、本実施形態の撮像装置の構成の概念図を示す。図１４は撮像装置としてのデジタルカメラ４０の外観を示す前方斜視図、図１５は同背面斜視図である。
【０１８７】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のレンズ系を通して撮影が行われる。撮影光学系４１によって形成された物体像が結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【０１８８】
図１６〜図１８は、ズームレンズを撮影光学系４１に組み込んだ他の撮像装置の構成の概念図を示す。図１６はデジタルカメラ４０の外観を示す前方斜視図、図１７は同背面図、図１８はデジタルカメラ４０の構成を示す模式的な横断面図である。
【０１８９】
デジタルカメラ４０は、この例の場合、撮影用光路４２上に位置する撮影光学系４１、ファインダー用光路４４上に位置するファインダー光学系４３、シャッターボタン４５、ポップアップストロボ４６、液晶表示モニター４７等を含み、カメラ４０の上部に配置されたシャッターボタン４５を押圧すると、それに連動して撮影光学系４１、例えば実施例１のレンズを通して撮影が行われる。撮影光学系４１によって形成された物体像が、結像面近傍に設けた撮像素子としてのＣＣＤ４９の撮像面（光電変換面）上に形成される。このＣＣＤ４９で受光された物体像は、処理手段５１を介し、電子画像としてカメラ背面に設けられた液晶表示モニター４７や、ファインダー用画像表示素子５４に表示される。また、この処理手段５１には記録手段５２が接続され、撮影された電子画像を記録することもできる。
【０１９０】
なお、この記録手段５２は処理手段５１と別体に設けてもよいし、フレキシブルディスクやメモリーカード、ＭＯ等により電子的に記録書込を行うように構成してもよい。また、ＣＣＤ４９に代わって銀塩フィルムを配置した銀塩カメラとして構成してもよい。
【０１９１】
さらに、ファインダー用光路４４上にはファインダー用接眼レンズ５９が配置してある。ファインダー用画像表示素子５４に表示された物体像が、このファインダー用接眼レンズ５９によって拡大および観察者が見やすい視度に調整され、観察者眼球Ｅに導かれている。なお、ファインダー用接眼レンズ５９の射出側にカバー部材５０が配置されている。
【０１９２】
図１９は、本実施形態のデジタルカメラ４０の主要部の内部回路を示すブロック図である。なお、以下の説明では、前述した処理手段５１は、例えば、ＣＤＳ／ＡＤＣ部２４、一時記憶メモリ１７、画像処理部１８等で構成され、記憶手段５２は、記憶媒体部等で構成される。
【０１９３】
図１９に示されるように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１９４】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１９５】
操作部１２は、各種の入力ボタンやスイッチを備え、これらを介して外部（カメラ使用者）から入力されるイベント情報を制御部に通知する。制御部１３は、例えばＣＰＵなどからなる中央演算処理装置であって、不図示のプログラムメモリを内蔵し、プログラムメモリに格納されているプログラムに従って、デジタルカメラ４０全体を制御する。
【０１９６】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【０１９７】
ＣＤＳ／ＡＤＣ部２４は、ＣＣＤ４９から入力される電気信号を増幅し、かつ、アナログ／デジタル変換を行って、この増幅とデジタル変換を行っただけの映像生データ（ベイヤーデータ、以下ＲＡＷデータという。）を一時メモリ１７に出力する回路である。
【０１９８】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１９９】
記憶媒体部１９は、例えばフラッシュメモリ等からなるカード型又はスティック型の記憶媒体を着脱自在に装着して、これらのフラッシュメモリに、一時記憶メモリ１７から転送されるＲＡＷデータや画像処理部１８で画像処理された画像データを記録して保持する。
【０２００】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０２０１】
このように構成されたデジタルカメラ４０は、撮像光学系４１として本発明のズームレンズを採用することで、小型で動画撮像に適した撮像装置とすることが可能となる。
【０２０２】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【０２０３】
１…レンズ交換式カメラ
２…撮像レンズ系
３…マウント部
４…撮像素子面
５…バックモニター
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
【図１】
0005769606.tif 000002
【図２】
0005769606.tif 000003
【図３】
0005769606.tif 000004
【図４】
0005769606.tif 000005
【図５】
0005769606.tif 000006
【図６】
0005769606.tif 000007
【図７】
0005769606.tif 000008
【図８】
0005769606.tif 000009
【図９】
0005769606.tif 000010
【図１０】
0005769606.tif 000011
【図１１】
0005769606.tif 000012
【図１２】
0005769606.tif 000013
【図１３】
0005769606.tif 000014
【図１４】
0005769606.tif 000015
【図１５】
0005769606.tif 000016
【図１６】
0005769606.tif 000017
【図１７】
0005769606.tif 000018
【図１８】
0005769606.tif 000019
【図１９】
0005769606.tif 000020